(57)【要約】【課題】  本発明は輸送や保管時には小さな包装箱に収納することができ、効率のよい輸送や、小さなスペースに保管することができるとともに、輸送、展示、保管、掃除時に鍬形が損傷するのを効率よく防止することができる兜飾りを得るにある。【解決手段】  兜飾りにおいて、兜本体と鍬形とを磁石で着脱可能に取付けて兜飾りを構成している。【選択図】  図２
2009183377.tif 000002
【特許請求の範囲】
【請求項１】
兜飾りにおいて、兜本体と鍬形とを磁石で着脱可能に取付けたことを特徴とする兜飾り。
【請求項２】
兜本体の鍬形取付部には係合片状の磁石あるいは磁性材が固定され、鍬形の兜本体への取付部には前記磁石あるいは磁性材と位置決め状態で係合する凹部を介して、磁石あるいは磁性材が設けられていることを特徴とする請求項１記載の兜飾り。
【請求項３】
鍬形はポリレジンで、兜本体への取付部には磁石あるいは磁性材が埋設されていることを特徴とする請求項1記載の兜飾り。
【発明の詳細な説明】
【技術分野】
【０００１】
本発明は五月人形等に使用される兜飾りに関する。
【背景技術】
【０００２】
従来の兜飾りは兜本体と鍬形とを接着剤で固定していた。
このため、伊達形の鍬形では兜本体の側方および上方へ大きく突出するとともに、義経形の鍬形では兜本体の上方へ大きく突出するため、輸送や保管用の包装箱として大きな包装箱を使用しなければならず、多くのクッション材を用いて包装するため包装作業が大変で、大きな包装箱により効率的な輸送ができないという欠点があるとともに、保管に大きな場所が必要となる欠点があった。
また、鍬形が兜本体に固定されているため、輸送、展示、保管、掃除時に鍬形を損傷させやすいという欠点があった。
特に最近、安価に製造することができるポリレンジを用いた鍬形は損傷しやすいという欠点があった。
【特許文献１】特開平１１−５７２２７
【発明の開示】
【発明が解決しようとする課題】
【０００３】
本発明は以上のような従来の欠点に鑑み、輸送や保管時には小さな包装箱に収納することができ、効率のよい輸送や、小さなスペースに保管することができるとともに、輸送、展示、保管、掃除時に鍬形が損傷するのを効率よく防止することができる兜飾りを提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は兜飾りにおいて、兜本体と鍬形とを磁石で着脱可能に取付けて兜飾りを構成している。
【発明の効果】
【０００６】
以上の説明から明らかなように、本発明にあっては次に列挙する効果が得られる。
【０００７】
（１）兜飾りにおいて、兜本体と鍬形とを磁石で着脱可能に取付けたので、輸送や保管時に兜本体より鍬形を外した状態で包装箱に梱包することができる。
したがって、輸送や保管時に兜本体を収納することができる大きさの包装箱を使用することができ、効率のよい梱包作業や輸送を行なうことができる。
【０００８】
（２）前記（１）によって、展示時に鍬形に力が加わっても、兜本体より容易に鍬形が外れて折れたりする損傷を効率よく防止できるとともに、掃除をする場合には兜本体より鍬形を外して行なえるので、その作業が楽で、きれいに行なうことができ、鍬形の損傷を確実に防止することができる。
【０００９】
（３）前記（１）によって、兜本体に鍬形を磁石で着脱可能に取付けるので、製造時には従来のように兜本体に鍬形を固定する必要がなく、容易に製造することができる。
【００１０】
（４）請求項２は前記（１）〜（３）と同様な効果が得られるとともに、兜本体にあらかじめ設定された位置となるように、誰でもが鍬形を固定状態で位置させることができる。
【００１１】
（５）請求項３は前記（１）〜（３）と同様な効果が得られるとともに、安価に製造することができるポリレジンで鍬形を製造しても、折れたりする損傷を兜本体より外せることにより、効率よく防止することができる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１は本発明の兜飾りで、この兜飾り1はポリレンジで成型された兜本体２と、この兜本体２の前面中央部に前方へわずかに突出するように六角形状に形成された鍬形取付部３に埋設された磁石4と、この鍬形取付部３と位置決め状態で係合し、前記磁石４に吸着固定される、ポリレンジで成型された伊達形の鍬形５とで構成されている。
【００１４】
前記伊達形の鍬形５は鍬形本体６と、この鍬形本体６の背面に形成された兜本体２への六角形状に形成された鍬形取付部３に位置決め状態で入り込む六角形状に形成された凹部７と、この凹部７内に挿入される鍬形取付部３を除く部位に固定された前記磁石４に吸着固定される磁石８とで構成されている。
【００１５】
上記のように構成された兜飾り１は、図６に示すように兜本体２と鍬形５とを外した状態で、比較的に小さな包装箱９内に収納して、輸送や保管をすることができる。
また、展示する場合には兜本体２の鍬形取付部３を凹部７内に位置させ磁石４と磁石８と吸着固定させることにより、位置決め状態で固定することができ、従来と同様に展示することができる。
なお、ホコリ等を除去する掃除の場合は鍬形５を外して行なったり、展示中に鍬形５に力が加わっても、鍬形５が損傷する前に兜本体２より外れて、その損傷を効率よく防止することができる。
[発明を実施するための異なる形態]
【００１６】
次に、図７ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図７ないし図９に示す本発明を実施するための第２の形態において、前記本発明を実施するための最良の第１の形態と主に異なる点は、義経形の鍬形５Ａを用いた点で、このような義経形の鍬形５Ａを用いた兜飾り１Ａにしても、前記本発明を実施するための最良の第１の形態と同様な作用効果が得られる。
なお、義経形の鍬形５Ａはポリレンジだけで成型したものを用いてもよく、また、十分な強度を得るためにＦＲＰが中央部に位置するようにポリレンジで成型したものを用いてもよい。
【００１８】
図１０ないし図１２に示す本発明を実施するための第３の形態において、前記本発明を実施するための最良の第１の形態と主に異なる点は、兜本体２あるいは鍬形５のいずれか一方、本発明の実施の形態では鍬形５に兜本体２の磁石４と吸着される鉄等の磁性材１０を埋設した点で、このように構成した兜飾り１Ｂにしても、前記本発明を実施するための最良の第１の形態と同様な作用効果が得られるとともに、兜本体２に埋設固定する係合片状の磁石４の先端部がＮ極なのか、Ｓ極なのかを考えることなく設置することができ、製造が容易にできる。
【００１９】
図１３ないし図１６に示す本発明を実施するための第４の形態において、前記本発明を実施するための最良の第１の形態と主に異なる点は、兜本体２の鍬形取付部３に凹部１１を形成して、磁石あるいは磁性材１２を埋設するとともに、鍬形５の背面に前記兜本体２の凹部１１内へ位置決め状態で先端部が入り込み、前記磁石あるいは磁性材１２と吸着固定される係合部１４の中央部に磁性材あるいは磁石１３を設けた点で、このように構成した兜飾り１Ｃにしても、前記本発明を実施するための最良の第１の形態と同様な作用効果が得られる。
なお、前記本発明の各実施の形態では伊達形の鍬形５と義経形の鍬形５Ａについて説明したが、本発明はこれに限らず、どんな形状の鍬形であっても、同様に実施することができる。
【産業上の利用可能性】
【００２０】
本発明は兜飾りを製造する産業で利用される。
【図面の簡単な説明】
【００２１】
【図１】本発明を実施するための最良の第１の形態の正面図。
【図２】図１の２−２線に沿う断面図。
【図３】本発明を実施するための最良の第１の形態の兜本体の正面図。
【図４】本発明を実施するための最良の第１の形態の鍬形の背面図。
【図５】図４の５−５線に沿う断面図。
【図６】本発明を実施するための最良の第１の形態の包装箱への収納状態の説明図。
【図７】本発明を実施するための第２の形態の正面図。
【図８】図７の８−８線に沿う断面図。
【図９】本発明を実施するための第２の形態の鍬形の背面図。
【図１０】本発明を実施するための第３の形態の正面図。
【図１１】図１０の１１−１１線に沿う断面図。
【図１２】本発明を実施するための第３の形態の鍬形の背面図。
【図１３】本発明を実施するための第４の形態の正面図。
【図１４】図１３の１４−１４線に沿う断面図。
【図１５】本発明を実施するための第４の形態の鍬形の背面図。
【図１６】図１５の１６−１６線に沿う断面図。
【符号の説明】
【００２２】
１、１Ａ、１Ｂ、１Ｃ：兜飾り、２：兜本体、
３：鍬形取付部、              ４：係合片状の磁石、
５、５Ａ：鍬形、              ６：鍬形本体、
７：凹部、                    ８：磁石、
９：包装箱、                  １０：磁性材、
１１：凹部、                  １２：磁石あるいは磁性材、
１３：磁性材あるいは磁石、    １４：係合部。
【図１】
2009183377.tif 000003
【図２】
2009183377.tif 000004
【図３】
2009183377.tif 000005
【図４】
2009183377.tif 000006
【図５】
2009183377.tif 000007
【図６】
2009183377.tif 000008
【図７】
2009183377.tif 000009
【図８】
2009183377.tif 000010
【図９】
2009183377.tif 000011
【図１０】
2009183377.tif 000012
【図１１】
2009183377.tif 000013
【図１２】
2009183377.tif 000014
【図１３】
2009183377.tif 000015
【図１４】
2009183377.tif 000016
【図１５】
2009183377.tif 000017
【図１６】
2009183377.tif 000018